(57)【要約】【課題】非接触媒体（非接触式ＩＣカード）を梱包した状態でデータの書込み又は読取りができるようにする。【解決手段】非接触媒体に所定のデータを書込み、又はその非接触媒体に記録されているデータを読取る非接触媒体処理装置において、所定の書込信号又は読取信号の磁界を収束する所定のギャップを有するヘッドコアを有し、そのヘッドコアのギャップを前記非接触媒体と対向するように設ける。【選択図】　　　図１
2004118605.tif 000002
【特許請求の範囲】
【請求項１】
非接触媒体に所定のデータを書込み、又はその非接触媒体に記録されているデータを読取る非接触媒体処理装置において、
所定の書込信号又は読取信号の磁界を収束する所定のギャップを有するヘッドコアを有し、そのヘッドコアのギャップを前記非接触媒体と対向するように設けたことを特徴とする非接触媒体処理装置。
【請求項２】
請求項１に記載の非接触媒体処理装置において、ヘッドコアのギャップは、非接触媒体の厚さの１／２〜３倍であることを特徴とする非接触媒体処理装置。
【請求項３】
請求項２に記載の非接触媒体処理装置において、非接触媒体は複数枚重ね合わされているものであることを特徴とする非接触媒体処理装置。
【請求項４】
請求項１〜３のいずれかに記載の非接触媒体処理装置において、ヘッドコアは固定され、非接触媒体が移動するものであることを特徴とする非接触媒体処理装置。
【請求項５】
請求項１〜３のいずれかに記載の非接触媒体処理装置において、ヘッドコアが移動し、非接触媒体は固定されていることを特徴とする非接触媒体処理装置。
【請求項６】
請求項３〜５のいずれかに記載の非接触媒体処理装置において、非接触媒体は梱包されているものであることを特徴とする非接触媒体処理装置。
【請求項７】
請求項１〜６のいずれかに記載の非接触媒体処理装置において、非接触媒体は予め固有のＩＤを有するものであることを特徴とする非接触媒体処理装置。
【請求項８】
請求項１〜６のいずれかに記載の非接触媒体処理装置において、非接触媒体に固有のＩＤを書き込むものであることを特徴とする非接触媒体処理装置。
【発明の詳細な説明】
【０００１】
【発明の属する技術分野】
本発明は、非接触式自動改札機等の非接触媒体処理機で使用される非接触媒体に対して所定のデータの書込み、又はその非接触媒体からのデータの読取りを効率よく行えるようにした非接触媒体処理装置に関する。
【０００２】
【従来の技術】
近年、首都圏の自動改札機は、非接触媒体（非接触式情報記録媒体）を用いて入場又は出場可能な非接触式自動改札機となり、また、公衆電話の中にも、非接触媒体のテレホンカードを用いることができるものも出現している。
【０００３】
このように、各種分野で多用されるようになってきている非接触媒体は、無線通信機能を備えたＩＣカードからなり、したがって、接触式ＩＣカードと同様に、工場から出荷されるときや所定の保管場所から所定の発行所へ出荷されるようなときは、非接触媒体券の管理のために、非接触媒体１枚毎に所定のデータの書込みやデータの読取りが行われている。
【０００４】
この従来の非接触媒体に対するデータの書込み及び読取りは、例えば、本出願人が、先に、特開平１１−２０３５１０号及び同２０３５１２号で提案している情報記録媒体処理装置に示されるように、非接触媒体を１枚ずつ搬送路を介して搬送させる途中において行われている。図２は、従来の非接触媒体処理装置の概略構成図である。
【０００５】
図２中、Ｃは非接触媒体であり、その外形形状は、通常のカード状である。そして、この非接触媒体Ｃは、一対の無端ベルトを対設して形成され、あるいは、多数のローラ群で形成された、周知の搬送路Ｌ′で１枚ずつ所定の搬送速度で搬送されるように構成されている。
【０００６】
非接触媒体Ｃの内部には、周知の無線通信機能を備えたＩＣカードと同様に、アンテナａとＩＣチップ１とが内蔵されている。そして、そのＩＣチップ１内には、図２の上部に示されるように、アンテナａを介して外部と交信（通信）するための送受信回路２と、非接触媒体Ｃを統括的に制御する制御回路３と、非接触媒体Ｃの識別番号、製造番号、定期券データ、あるいはＳＦデータ等の所定のカードデータを記憶するためのメモリ４と、外部から送信されてくる電力波を受信して非接触媒体Ｃの駆動電力を生成する電力生成回路５とが設けられている。なお、非接触媒体Ｃが電池内蔵型のときは、電力生成回路５は省略される。
【０００７】
図２中、２１は、非接触券媒体処理装置（リーダライタ（Ｒ／Ｗ））２０のアンテナであり、搬送路Ｌの途中で、かつ、その搬送路Ｌの近傍に設けられている。また、２２は、アンテナ２１を介して非接触媒体Ｃに対して所定のデータを書込み、また、その非接触媒体Ｃに書き込まれているデータを読取ることのできる制御回路である。したがって、この非接触媒体処理装置２０は、非接触媒体Ｃがアンテナ２１の交信範囲に入ると、制御回路２２からの所定のデータが非接触媒体Ｃのメモリ４に書込まれ、また、その非接触媒体Ｃのメモリ４に記憶されているデータが読取られる。
【０００８】
【発明が解決しようとする課題】
しかしながら、上記従来の非接触媒体処理装置は、非接触媒体に対する所定のデータの書込み又はその非接触媒体からのデータの読取りは、アンテナに非接触の媒体を１枚ずつかざす形で行われているので、例えば、非接触媒体を工場から出荷する際のデータの書込み又は読取りは、多数の非接触媒体が重ね合わされて梱包されている非接触券の梱包を解いて１枚ずつ分離し、１枚ずつ手作業でアンテナにかざして（又は軽くタッチして）、又は繰出装置で１枚ずつアンテナ側に送出しなければならないという面倒があった。また、データの書込み又は読取りの終了した非接触媒体を再び梱包しなければならないという不便もあった。
【０００９】
そこで、本発明は、上記欠点を解決するためになされたものであって、その目的は、非接触券が梱包されて重ね合わされている状態であっても、非接触媒体１枚毎に所定のデータの書込みを行うことができ、また、データの読取りを行うことのできる非接触媒体処理装置を提供することにある。
【００１０】
【課題を解決するための手段】
本発明にかかる非接触媒体処理装置は、上記目的を達成するために、請求項１に記載の発明は、非接触媒体に所定のデータを書込み、又はその非接触媒体に記録されているデータを読取る非接触媒体処理装置において、所定の書込信号又は読取信号の磁界を収束する所定のギャップを有するヘッドコアを有し、そのヘッドコアのギャップを前記非接触媒体と対向するように設けたことを特徴としている。
本発明の請求項２に記載の非接触媒体処理装置は、ヘッドコアのギャップは、非接触媒体の厚さの１／２〜３倍であることを特徴としている。
本発明の請求項３に記載の非接触媒体処理装置は、非接触媒体は複数枚重ね合わされているものであることを特徴としている。
本発明の請求項４に記載の非接触媒体処理装置は、ヘッドコアは固定され、非接触媒体が移動するものであることを特徴としている。
本発明の請求項５に記載の非接触媒体処理装置は、ヘッドコアが移動し、非接触媒体は固定されていることを特徴としている。
本発明の請求項６に記載の非接触媒体処理装置は、非接触媒体は梱包されているものであることを特徴としている。
本発明の請求項７に記載の非接触媒体処理装置は、非接触媒体は予め固有のＩＤを有するものであることを特徴としている。
本発明の請求項８に記載の非接触媒体処理装置は、非接触媒体に固有のＩＤを書き込むものであることを特徴としている。
【００１１】
【発明の実施の形態】
以下、本発明の実施の形態を図面に基づいて説明する。図１は、一実施の形態に係る非接触媒体処理装置１０の概略構成図である。なお、上記従来と同一構成要素には、同一符号を用い、これら構成要素については説明が重複するために新規な部分のみについて異なる符号を付して説明する。
【００１２】
先ず、本発明の係る非接触媒体処理装置を（リーダライタ（Ｒ／Ｗ））１０について説明する前に非接触媒体Ｃについて説明する。各非接触媒体Ｃは、上記図２に示される非接触媒体Ｃと同一であるが、ここでは、結束紐イ，イにより複数枚（通常は数百枚以上）の非接触媒体Ｃ，Ｃ…が重ね合わされた状態、つまり梱包された状態にあり、この状態でベルトコンベヤ等からなる搬送路Ｌ上に載置されて矢印方向へ所定の搬送速度で移動されている。なお、非接触媒体Ｃの厚さは、通常の銀行カードのように薄いが、図示の例では後述するヘッドコア１１のギャップＧとの関係を明らかにするために、実際の厚さよりも厚く示されている。
【００１３】
ヘッドコア１１は、フェライトのような磁性体からなっていて、所定のギャップＧを有する馬蹄形を呈し、そのギャップＧと反対側に制御回路１２のコイル１３が巻回されている。この制御回路１２の内部は、上記図２の制御回路２２と同一構成であるが、上記図２のアンテナ２１に相当するコイル１３が制御回路１２に接続して設けられている。また、上記ギャップＧの間隙は、非接触媒体Ｃの厚さの１／２〜３倍となるように決められている。ギャップＧがこの範囲であると、非接触媒体Ｃ１枚毎に対するデータの書込み及び読取りを効果的に行うことができる。さらに、ヘッドコア１１と非接触媒体Ｃとの位置関係及び間隔は、非接触媒体Ｃの端面（非接触媒体Ｃの四角形のいずれかの一辺の面）とヘッドコア１１のギャップＧとが対向し（図１参照）、かつ、その端面とギャップとが可能な限り接近するように設けられる。なお、ヘッドコア１１のギャップＧが軽く非接触媒体Ｃの端面に接するようにしてもよい。
【００１４】
上記構成において、非接触媒体Ｃが搬送路Ｌにより移動する途中、その非接触媒体Ｃの端面がギャップＧに対向して位置すると、書込信号又は読取信号の磁界がヘッドコア１１の作用により収束しているので、非接触媒体Ｃに対するデータの書込み又はその非接触媒体Ｃのデータの読取りは効率よく行われる。
【００１５】
非接触媒体Ｃに対するデータの書込みは、例えば、その非接触媒体Ｃに対する固有のＩＤ（識別情報）とすることができ、また、非接触媒体Ｃに予め記録されているＩＤを読取って、そのＩＤに対応した所定のデータとすることもできる。もちろん、このようなデータの書込みは、その書き込まれたデータが正確にメモリ４に書込まれているかをそのメモリ４から読取ってチェックされる。
【００１６】
なお、上述の例では、非接触媒体Ｃは、結束紐イ，イで梱包されている例を示したが、１枚ずつ搬送してもい。また、非接触媒体Ｃを移動し、ヘッドコア１１を固定としたが、これを逆にしても同効である。さらに、非接触媒体Ｃをカード形状としたが、これを他の形状、例えばコイン型のいわゆるトークン形状としてもよい。
【００１７】
【発明の効果】
本発明の請求項１に記載の非接触媒体処理装置は、所定の書込信号又は読取信号の磁界を収束する所定のギャップを有するヘッドコアを有し、そのヘッドコアのギャップを非接触媒体と対向するように設けたので、従来のようなアンテナを用いることなく、データの書込み又は読取りを効率よく行うことができる。
本発明の請求項２に記載の非接触媒体処理装置は、ヘッドコアのギャップを非接触媒体の厚さの１／２〜３倍としたので、データの書込み又は読取りを効率よく行うことができる。
本発明の請求項３に記載の非接触媒体処理装置は、非接触媒体は複数枚重ね合わされているものであるので、複数枚の非接触媒体を一括して書込処理又は読取り処理することができる。
本発明の請求項４に記載の非接触媒体処理装置は、ヘッドコアは固定され、非接触媒体が移動するので、データの書込み又は読取りを効率よく行うことができる。
本発明の請求項５に記載の非接触媒体処理装置は、ヘッドコアが移動し、非接触媒体は固定されているので、データの書込み又は読取りを効率よく行うことができる。
本発明の請求項６に記載の非接触媒体処理装置は、非接触媒体は梱包されているので、梱包した状態でデータの書込み又は読取りを行うことができる。
本発明の請求項７に記載の非接触媒体処理装置は、非接触媒体は予め固有のＩＤを有するものであるので、ＩＤに基づいて所定のデータを書込むことができる。
本発明の請求項８に記載の非接触媒体処理装置は、非接触媒体に固有のＩＤを書き込むので、ＩＤを効率よく書込むことができる。
【図面の簡単な説明】
【図１】本発明の一実施の形態に係る非接触媒体処理装置の概略構成図である。
【図２】従来の非接触媒体処理装置の概略構成図である。
【符号の説明】
１０　　　非接触媒体処理装置
１１　　　ヘッドコア
Ｇ　　　ギャップ
１２　　　制御回路
Ｌ　　　搬送路
Ｃ　　　非接触媒体
イ　　　結束紐
【図１】
2004118605.tif 000003
【図２】
2004118605.tif 000004